(57)【特許請求の範囲】
【請求項１】
Ｘ線ビーム発生器（１）と面状検出器（４）とから成る測定装置を有するＸ線コンピュータ断層撮影装置の検出器素子の読み取りのための方法において、前記面状検出器（４）は、一列に配置された複数の部分検出器（１０等）から構成されており、前記各部分検出器（１０等）の各々は、各検出器素子のＫ*Ｎ個のマトリックスから構成されており、該検出器素子はＫ行及びＮ列に配置されており、前記各部分検出器（１０等）の中のそれぞれ１つの検出器素子が同時に読み取られ、行又は列において隣接する検出器素子の読み取りの間の時間間隔は一定であることを特徴とするＸ線コンピュータ断層撮影装置の検出器素子の読み取りのための方法。
【請求項２】
各部分検出器のＫ行からなるマトリックスの検出器素子は、行毎に読み取られ、該読み取りの際に、各々１つの行をなす各検出器素子は、別の行の読み取りが行われる前に順次読み取られることを特徴とする請求項１記載の方法。
【請求項３】
部分検出器（１０等）の各々から、それぞれ互いに相応する検出器素子である、マトリックスの同じ位置にある検出器素子が同時に読み取られることを特徴とする請求項１記載の方法。
【請求項４】
各部分検出器（１０等）の中のそれぞれ１つの検出器素子が同時に読み取られる際に、読み取りは読み取りサイクルＴで行われ、列において隣接する各々の検出器素子は時間Ｔ／Ｎだけずらされて読み取られる、請求項１記載の方法。
【請求項５】
各部分検出器（１０等）の中のそれぞれ１つの検出器素子が同時に読み取られる際に、読み取りは読み取りサイクルＴで行われ、行において隣接する各々の検出器素子は時間Ｔ／（Ｋ*Ｎ）だけずらされて読み取られる、請求項２記載の方法。
【請求項６】
各部分検出器（１０等）の中のそれぞれ１つの検出器素子が同時に読み取られる際に、読み取りは読み取りサイクルＴで行われ、行において隣接する各々の検出器素子は時間Ｔ／Ｋだけずらされて読み取られる、請求項３記載の方法。
【請求項７】
各部分検出器（１０等）の中のそれぞれ１つの検出器素子が同時に読み取られる際に、読み取りは読み取りサイクルＴで行われ、列において隣接する各々の検出器素子は時間Ｔ／（Ｋ*Ｎ）だけずらされて読み取られる、請求項３記載の方法。
【発明の詳細な説明】
【０００１】
【発明の属する技術分野】
本発明は、Ｘ線ビーム発生器と面状検出器とから成る測定装置を有するＸ線コンピュータ断層撮影装置の検出器素子の読み取りのための方法に関する。
【０００２】
【従来の技術】
Ｘ線コンピュータ断層撮影法においては、管電力は、本質的な限界値を示す。この理由は、ビーム円錐全体から狭幅扇状ビームのみが絞りによって取り出されて利用されるからである。もし既存線量をより良く利用することに成功すれば、所定の容積体を比較的短い時間で撮影することができ、又は所定の時間（例えば、患者が息を止めている時間）内により大きな容積体を撮影することができるだろう。管線量の利用を改善するためには、検出器が装置軸の方向（ｚ方向）に広がって延在していなければならない（面状検出器）。ｚ方向の解像力が劣化しないように、検出器は、ｚ方向において、それぞれ一列に並んだ検出器素子から成る複数の平行な行に分割されていなければならない。各検出器素子には、装置クロックＴの間に情報が蓄積され、次いでこの情報が読み取られる。極めて多数（Ｍ*Ｎ）個の検出器素子のため、全ての素子を同時に（又はほとんど同時に）読みとることはできない。従って、この読み取りを、部分的にシーケンシャルに行わざるをえない。その後、このシーケンシャル信号は、Ａ/Ｄ変換器が接続された複数の増幅器に供給される。
【０００３】
【発明が解決しようとする課題】
本発明の課題は、面状検出器を有するＸ線コンピュータ断層撮影装置の検出器素子の読み取りのための方法を、各検出器素子からの情報の読み取りに関して最適化することである。
【０００４】
【課題を解決するための手段】
上記課題は、面状検出器は、一列に配置された複数の部分検出器から構成されており、各部分検出器の各々は、各検出器素子のＫ*Ｎ個のマトリックスから構成されており、該検出器素子はＫ行及びＮ列に配置されており、各部分検出器の中のそれぞれ１つの検出器素子が同時に読み取られ、行又は列において隣接する検出器素子の読み取りの間の時間間隔は一定であることによって解決される。
【０００５】
有利な実施形態は従属請求項から得られる。
【０００６】
【発明の実施の形態】
本発明を以下に図面に基づいて詳しく説明する。
【０００７】
図１には、Ｘ線ビーム発生器の焦点１が図示され、この焦点１からここには図示されていない絞りによって形成されたピラミッド形状のＸ線ビーム束２が放射されている。このＸ線ビーム束２は、対象３を透過し、検出器４に照射されている。この検出器４は、複数の平行な検出器行から構成される。各検出器行は、一列に並んだ検出器素子から形成されている。測定装置１、４は、装置軸６のまわりを回転することができ、従って、対象３は、種々の異なる投影方向から透射される。この時形成される検出器信号から、コンピュータ７が、対象３の画像を計算し、この画像はモニター８に表示される。検出器信号の検出は、マルチプレクサ９によって行われる。
【０００８】
図２は、検出器４が一列に並んだ部分検出器１０〜１４から構成されることを示している。各部分検出器１０〜１４は、Ｋ*Ｎ個の検出器素子のマトリックスを有する。
【０００９】
図３は、Ｍ＝９、Ｋ＝３、Ｎ＝４の場合の読み取りパターンを示している。 ただし、Ｍは行毎の検出器素子の個数である。その都度読み取られる検出器素子を枠で囲って示す。この枠で囲まれた検出器素子は、その都度所定の時間に読み取られる。この読み取りは、図３ではジグザグに行われる。
【００１０】
各素子は列毎に読み取られる。水平方向に隣接する各素子の各読み取り間の時間的間隔が、各部分検出器１０等の各境界に亙って一定であるように、隣接する素子の読み取りサイクルはＴ/Ｎだけずらされなければならない。水平方向に隣接する素子は、時間Ｔ/（Ｋ*Ｎ）だけずらされて読み取られ、垂直方向に隣接する素子は、時間Ｔ/Ｎだけずらされて読み取られる。
【００１１】
図４は、Ｍ＝９、Ｋ＝３、Ｎ＝４の場合の一つの読み取りパターンを示している。この読み取りパターンにおいては、枠で囲まれた各検出器素子は、その都度所定の時間に読み取られ、この読み取りは、行毎、列毎に行われる。部分検出器の読み取りの間の時間的なずれは必要不可欠ではない。水平方向に隣接する素子は、時間Ｔ/Ｋだけずらされて読み取られ、垂直方向に隣接する素子は、時間Ｔ/（Ｋ*Ｎ）だけずらされて読み取られる。
【００１２】
部分検出器の部分にそれぞれ信号変換器列を備えつけることも可能である。そうすれば、これらの分割部に上述した両方のパターンを適用することもできる。この場合、Ｋ及びＮは、この分割部の大きさである。
【００１３】
図４は、部分検出器１０等々の各々から、それぞれ互いに相応する検出器素子、つまりマトリックスの同じ位置にある検出器素子が同時に読み取られることを示している。
【図面の簡単な説明】
【図１】  本発明の技術思想を説明するための面状検出器を有するＸ線コンピュータ断層撮影装置の概略図である。
【図２】  図１に図示されているコンピュータ断層撮影装置における面状検出器の概略図である。
【図３】  図１及び図２に図示されている面状検出器の読み取りに関する図式的な概略図である。
【図４】  図１及び図２に図示されている面状検出器の読み取りに関する図式的な概略図である。
【符号の説明】
１  焦点
２  Ｘ線ビーム束
３  対象
４  検出器
６  装置軸
７  コンピュータ
８  モニター
９  マルチプレクサ
１０〜１４  部分検出器
【図１】
0004035190.tif 000002
【図２】
0004035190.tif 000003
【図３】
0004035190.tif 000004
【図４】
0004035190.tif 000005